(57)【特許請求の範囲】
【請求項１】
保護用のカバーケースに覆われた状態で設置される光クロージャであって、
正面側が開放され、複数の光ファイバを内蔵した光幹線ケーブルを収容する筐体と、
前記光幹線ケーブルを前記筐体に固定する光幹線ケーブル固定部と、
前記筐体の外部上側に配置され、前記光幹線ケーブルの内部から取り出された前記光ファイバの余長を収納する収納トレイと、
前記筐体の外部下側に配置され、前記光ファイバと接続される引き込みケーブルを保持する引き込みケーブルホルダと、
前記筐体の外部正面側に配置され、前記光ファイバと前記引き込みケーブルとを接続するためのアダプタを保持するアダプタホルダとを備え、
前記アダプタホルダは、前記収納トレイに前記筐体の上方に回動可能に取り付けられていることを特徴とする光クロージャ。
【請求項２】
前記収納トレイは、前記筐体の背面部に回動可能に取り付けられていることを特徴とする請求項１記載の光クロージャ。
【請求項３】
前記引き込みケーブルホルダは、前記筐体の背面部に回動可能に取り付けられていることを特徴とする請求項１または２記載の光クロージャ。
【発明の詳細な説明】
【技術分野】
【０００１】
本発明は、例えばＦＴＴＨユーザー宅内へ光ケーブルを引き込むための架空用の光クロージャに関するものである。
【背景技術】
【０００２】
従来の光クロージャとしては、例えば特許文献１に記載されているものが知られている。特許文献１に記載の光クロージャは、連結棒の両端部に取り付けられたケーブル把持金具及びドロップケーブル把持部と、連結棒の両端部間に取り付けられた接続部収納トレイとを備え、接続部収納トレイには、幹線光ケーブルから取り出した光ファイバとドロップケーブルの光ファイバとをコネクタ接続するための４つのアダプタが幅方向に並べて取り付けられている。
【先行技術文献】
【特許文献】
【０００３】
【特許文献１】特開２００９−８９６０号公報
【発明の概要】
【発明が解決しようとする課題】
【０００４】
しかしながら、上記従来技術においては、光クロージャの幅寸法が大きくならざるを得ない。このため、光クロージャを架空に設置したときに、光クロージャがＦＴＴＨユーザー宅内からの景観を損ねることがある。
【０００５】
本発明の目的は、小型化を図りつつ、作業性を確保することができる光クロージャを提供することである。
【課題を解決するための手段】
【０００６】
本発明は、保護用のカバーケースに覆われた状態で設置される光クロージャであって、正面側が開放され、複数の光ファイバを内蔵した光幹線ケーブルを収容する筐体と、光幹線ケーブルを筐体に固定する光幹線ケーブル固定部と、筐体の外部上側に配置され、光幹線ケーブルの内部から取り出された光ファイバの余長を収納する収納トレイと、筐体の外部下側に配置され、光ファイバと接続される引き込みケーブルを保持する引き込みケーブルホルダと、筐体の外部正面側に配置され、光ファイバと引き込みケーブルとを接続するためのアダプタを保持するアダプタホルダとを備え、アダプタホルダは、収納トレイに筐体の上方に回動可能に取り付けられていることを特徴とするものである。
【０００７】
このように本発明の光クロージャにおいては、収納トレイを筐体の外部上側に配置し、引き込みケーブルホルダを筐体の外部下側に配置し、アダプタホルダを筐体の外部正面側に配置することにより、光クロージャの幅寸法及び高さ寸法を必要以上に大きくしなくて済み、光クロージャを小型化することができる。
【０００８】
また、収納トレイを筐体の外部上側に配置することで、光幹線ケーブルの内部から取り出された光ファイバの余長を収納トレイに収納しやすくなる。引き込みケーブルホルダを筐体の外部下側に配置することで、ユーザー宅内に向けて引き込みケーブルを引き出しやすくなる。アダプタホルダを筐体の外部正面側に配置することで、アダプタに対するコネクタの挿抜が行いやすくなる。さらに、アダプタホルダを収納トレイに回動可能に取り付けることにより、アダプタホルダを筐体の上側に向けて回動させることで、筐体の正面側から見て筐体の内部全体が露出されるようになるため、筐体内に収容された光幹線ケーブルの光ファイバへのアクセスが行いやすくなる。以上により、光クロージャに対する作業性を確保することができる。
【０００９】
好ましくは、収納トレイは、筐体の背面部に回動可能に取り付けられている。この場合には、収納トレイを筐体の上側に向けて回動させることで、筐体の正面側からの筐体内に対する作業スペースが広くなるため、筐体内に収容された光幹線ケーブルの光ファイバへのアクセスが更に行いやすくなる。これにより、光クロージャに対する作業性を十分確保することができる。
【００１０】
また、好ましくは、引き込みケーブルホルダは、筐体の背面部に回動可能に取り付けられている。この場合には、引き込みケーブルホルダを筐体の下側に向けて回動させることで、筐体の正面側からの筐体内に対する作業スペースが広くなるため、筐体内に収容された光幹線ケーブルの光ファイバへのアクセスが更に行いやすくなる。また、引き込みケーブルホルダにおける引き込みケーブルの引き回しも行いやすくなる。以上により、光クロージャに対する作業性を十分確保することができる。
【発明の効果】
【００１１】
本発明によれば、光クロージャの小型化を図りつつ、光クロージャに対する作業性を確保することができる。このように光クロージャの小型化が図れるので、架空に設置された光クロージャがユーザー宅内からの景観を損ねることを抑制できる。
【図面の簡単な説明】
【００１２】
【図１】本発明に係わる光クロージャの一実施形態の外観を示す斜視図である。
【図２】図１に示した光クロージャを反対側から見たときの外観を示す斜視図である。
【図３】図１に示した光クロージャの正面図である。
【図４】図１に示した光クロージャの平面図である。
【図５】図１に示した光クロージャの底面図である。
【図６】図１に示した収納トレイの蓋部が開いた状態の外観を示す斜視図である。
【図７】図１に示した光クロージャの各状態を示す側面図である。
【図８】図１に示した収納トレイが筐体に対して上方に回動した状態の外観を示す斜視図である。
【図９】図８に示した光クロージャを反対側から見たときの外観を示す斜視図である。
【図１０】図１に示したアダプタホルダが収納トレイに対して上方に回動すると共にドロップケーブルホルダが筐体に対して下方に回動した状態の外観を示す斜視図である。
【図１１】図１０に示した光クロージャを反対側から見たときの外観を示す斜視図である。
【発明を実施するための形態】
【００１３】
以下、本発明に係わる光クロージャの好適な実施形態について、図面を参照して詳細に説明する。
【００１４】
図１は、本発明に係わる光クロージャの一実施形態の外観を示す斜視図であり、図２は、図１に示した光クロージャを反対側から見たときの外観を示す斜視図である。図３は、図１に示した光クロージャの正面図であり、図４は、図１に示した光クロージャの平面図であり、図５は、図１に示した光クロージャの底面図である。各図において、本実施形態の光クロージャ１は、ＦＴＴＨユーザー宅内へドロップケーブルを引き込むための架空用ドロップクロージャである。
【００１５】
光クロージャ１は、光幹線ケーブル２を収容する断面略Ｕ字状の筐体３を備えている。筐体３の背面部（開放側とは反対側の部位）には、２つの突出部４及び２つの突出部５が設けられている。
【００１６】
筐体３の両端部には、光幹線ケーブル２を固定する光幹線ケーブル固定具６がそれぞれ取り付けられている。光幹線ケーブル固定具６は、下部ネジ部７の上端に取り付けられた基台部（図示せず）と、上部ネジ部８の下端に取り付けられたケーブル押さえ部（図示せず）とを有し、基台部に光幹線ケーブル２を載せた状態で、上部ネジ部８を下方にねじ込んでケーブル押さえ部により光幹線ケーブル２を基台部７に対して押し付けることで、光幹線ケーブル２を筐体３に固定する。
【００１７】
また、光クロージャ１は、筐体３の上側に配置された収納トレイ９と、筐体３の下側に配置されたドロップケーブルホルダ１０と、筐体３の正面側（開放側）に配置された２つのアダプタホルダ１１とを備えている。
【００１８】
収納トレイ９は、図６に示すように、光幹線ケーブル２の内部から取り出された光ファイバ１２の余長を収納する箱型のトレイ本体１３と、このトレイ本体１３にヒンジ部１４を介して開閉可能に設けられ、トレイ本体１３の内部を覆う蓋部１５とを有している。収納トレイ９は、例えば半透明材料で形成されている。トレイ本体１３には、光ファイバ１２の余長を押さえるための複数の舌片１６が設けられている。蓋部１５の先端には、トレイ本体１３の底面に引っ掛かる３つのフック部１７が設けられている。
【００１９】
トレイ本体１３の底面には、筐体３の各突出部４に回転軸を介して連結された２つの突出部１８が設けられている。従って、収納トレイ９は、図７〜図９に示すように、筐体３の背面部に回動可能に取り付けられていることとなる。また、トレイ本体１３の前面には、１対の突出部１９が左右両側に２組ずつ設けられている。
【００２０】
ドロップケーブルホルダ１０は、複数本（ここでは４本）のドロップケーブル２０を引き回すように保持する断面略Ｕ状の部材である。ドロップケーブルホルダ１０には、ドロップケーブル２０を押さえるための複数の舌片２１が設けられている。
【００２１】
ドロップケーブルホルダ１０の背面部には、上方に延びる２つの突出部２２が設けられている。これらの突出部２２は、筐体３の各突出部５に回転軸を介して連結されている。従って、ドロップケーブルホルダ１０は、図７、図１０及び図１１に示すように、筐体３の背面部に回動可能に取り付けられていることとなる。
【００２２】
アダプタホルダ１１は、４つのコネクタ差込部２３ａ（図７参照）を有する２連の光アダプタ２３を保持する部材である。光アダプタ２３は、光幹線ケーブル２の内部から取り出された光ファイバ１２が組み付けられた光コネクタプラグ２４と、ドロップケーブル２０が組み付けられた光コネクタプラグ２５とを接続するコネクタ部品である。
【００２３】
アダプタホルダ１１の上部には、トレイ本体１３の各突出部１９に回転軸を介して連結された１対の突出部２６が設けられている。従って、アダプタホルダ１１は、図７、図１０及び図１１に示すように、収納トレイ９の前面部に回動可能に取り付けられていることとなる。
【００２４】
以上のような光クロージャ１においては、光幹線ケーブル２の外被が除去されて複数本の光ファイバ１２が露出した状態となっている。これらの光ファイバ１２の余長は、収納トレイ９に収納される。そして、光ファイバ１２の端部に組み付けられた光コネクタプラグ２４が光アダプタ２３の一方側のコネクタ差込部２３ａに差し込まれる。
【００２５】
一方、複数本（ここでは４本）のドロップケーブル２０は、光クロージャ１の一方側から導入され、ドロップケーブルホルダ１０に引き回された状態で保持される。そして、ドロップケーブル２０の端部に組み付けられた光コネクタプラグ２５が光アダプタ２３の他方側のコネクタ差込部２３ａに差し込まれる。これにより、光ファイバ１２とドロップケーブル２０とが光アダプタ２３を介して接続されるようになる。
【００２６】
このとき、光幹線ケーブル２から取り出された光ファイバ１２に組み付けられた光コネクタプラグ２４は、光アダプタ２３における光クロージャ１の内側に対応するコネクタ差込部２３ａに差し込まれ、ドロップケーブル２０に組み付けられた光コネクタプラグ２５は、光アダプタ２３における光クロージャ１の外側に対応するコネクタ差込部２３ａに差し込まれる。これにより、光クロージャ１内において光ファイバ１２及びドロップケーブル２０の引き回しが行いやすくなる。
【００２７】
このような光クロージャ１は、保護用のカバーケース（図示せず）に覆われた状態で、架空に設置される。
【００２８】
以上のように本実施形態にあっては、筐体３の上側に収納トレイ９を配置し、筐体３の下側にドロップケーブルホルダ１０を配置し、筐体３の正面側にアダプタホルダ１１を配置する。つまり、収納トレイ９、ドロップケーブルホルダ１０及びアダプタホルダ１１を筐体３の周りにスペース効率良く配置するようにしたので、光クロージャ１の小型化を図ることができる。これにより、光クロージャ１が架空に設置されたときに、光クロージャ１がユーザー宅内からの景観を損うことを抑制できる。
【００２９】
このとき、収納トレイ９を筐体３の上側に配置することにより、光幹線ケーブル２から取り出された光ファイバ１２の余長を収納トレイ９に収納する作業が行いやすくなる。また、ドロップケーブルホルダ１０を筐体３の下側に配置することにより、ドロップケーブル２０の引き出し位置が光幹線ケーブル２の下側となるため、ユーザー宅内へ向けてドロップケーブル２０の引き出し作業が行いやすくなる。また、アダプタホルダ１１を筐体３の正面側に配置することにより、光コネクタプラグ２４，２５を光アダプタ２３に挿入・抜去する作業が行いやすくなる。
【００３０】
また、アダプタホルダ１１を収納トレイ９の前面部に回動可能に取り付け、収納トレイ９及びドロップケーブルホルダ１０を筐体３の背面部に回動可能に取り付けることにより、追加工事を実施する際にも作業が行いやすくなる。
【００３１】
具体的には、図１０に示すように、アダプタホルダ１１を収納トレイ９に対して上方に回動させることで、筐体３の正面側から見て筐体３の内部全体があらわになるため、筐体３内に存在する光ファイバ１２が取り扱いやすくなる。また、例えば筐体３の真上に障害物等が無い場合には、図８に示すように、収納トレイ９を筐体３に対して上方に回動させることで、筐体３の正面側から見て筐体３の内部全体があらわになると共に、筐体３内に対する作業スペースが広くなるため、光ファイバ１２の取り扱いを容易に行うことができる。さらに、ドロップケーブルホルダ１０を筐体３に対して下方に回動させることで、筐体３内に対する作業スペースが広くなるため、光ファイバ１２の取り扱いが容易に行えると共に、ドロップケーブルホルダ１０においてドロップケーブル２０を引き回す作業が行いやすくなる。
【００３２】
また、アダプタホルダ１１を収納トレイ９の前面部に回動可能に取り付けることにより、アダプタホルダ１１の回動時に収納トレイ９から引き出されて光アダプタ２３に接続された光ファイバ１２の張力を最小限に抑えることができる。
【００３３】
なお、本発明は、上記実施形態に限定されるものではない。例えば上記実施形態では、収納トレイ９及びドロップケーブルホルダ１０が筐体３の背面部に回動可能に取り付けられた構造となっているが、特にそのような構成には限られず、収納トレイ９及びドロップケーブルホルダ１０のいずれか一方のみが筐体３に対して回動可能であっても良いし、あるいは両者ともに筐体３に対して回動可能でなくても良い。
【００３４】
また、上記実施形態では、幹線光ケーブル２から取り出された光ファイバ１２とドロップケーブル２０とを接続しているが、ユーザー宅内へ引き込まれる引き込みケーブルとしては、特にドロップケーブルには限られない。
【符号の説明】
【００３５】
１…光クロージャ、２…光幹線ケーブル、３…筐体、６…光幹線ケーブル固定具（光幹線ケーブル固定部）、９…収納トレイ、１０…ドロップケーブルホルダ（引き込みケーブルホルダ）、１１…アダプタホルダ、１２…光ファイバ、２０…ドロップケーブル（引き込みケーブル）、２３…光アダプタ。
【図１】
0005249301.tif 000002
【図２】
0005249301.tif 000003
【図３】
0005249301.tif 000004
【図４】
0005249301.tif 000005
【図５】
0005249301.tif 000006
【図６】
0005249301.tif 000007
【図７】
0005249301.tif 000008
【図８】
0005249301.tif 000009
【図９】
0005249301.tif 000010
【図１０】
0005249301.tif 000011
【図１１】
0005249301.tif 000012